(57)【要約】【課題】消費電力を低減することができる窓センサを提供する。【解決手段】窓センサ１は、施解錠検知部１３と窓開閉検知部１４と動作制御部１２３とを備える。施解錠検知部１３は、窓４の施解錠状態を検知する。窓開閉検知部１４は、窓４の開閉状態を検知する。動作制御部１２３は、施解錠検知部１３および窓開閉検知部１４のそれぞれを動作または停止させる。そして、動作制御部１２３は、施解錠検知部１３および窓開閉検知部１４の各検知結果の組み合わせに基づいて、第１のモードと第２のモードとのいずれかのモードを実行する。第１のモードは、施解錠検知部１３のみを動作させる。第２のモードは、窓開閉検知部１４のみを動作させる。【選択図】図１
2015148998.tif 000002
【特許請求の範囲】
【請求項１】
窓の施解錠状態を検知する施解錠検知部と、
窓の開閉状態を検知する窓開閉検知部と、
前記施解錠検知部および前記窓開閉検知部のそれぞれを動作または停止させる動作制御部とを備え、
前記動作制御部は、前記施解錠検知部および前記窓開閉検知部の各検知結果の組み合わせに基づいて、前記施解錠検知部のみを動作させる第１のモードと、前記窓開閉検知部のみを動作させる第２のモードとのいずれかのモードを実行する
ことを特徴とする窓センサ。
【請求項２】
前記動作制御部は、前記施解錠検知部の検知結果が施錠状態、かつ前記窓開閉検知部の検知結果が窓閉状態である場合、前記第１のモードを実行する
ことを特徴とする請求項１記載の窓センサ。
【請求項３】
前記動作制御部は、前記施解錠検知部の検知結果が解錠状態、かつ前記窓開閉検知部の検知結果が窓開状態である場合、前記第２のモードを実行する
ことを特徴とする請求項１または２記載の窓センサ。
【請求項４】
前記動作制御部は、前記施解錠検知部の検知結果が施錠状態、かつ前記窓開閉検知部の検知結果が窓開状態である場合、前記第１のモードを実行する
ことを特徴とする請求項１または２記載の窓センサ。
【請求項５】
前記動作制御部は、所定時間ごとに前記施解錠検知部および前記窓開閉検知部の両方を動作させる第３のモードを実行する
ことを特徴とする請求項１乃至４のうちいずれか１項に記載の窓センサ。
【発明の詳細な説明】
【技術分野】
【０００１】
本発明は、窓の開閉状態および施解錠状態を検知する窓センサに関するものである。
【背景技術】
【０００２】
従来、窓の開閉状態および施解錠状態を検知する窓センサが提供されている（例えば、特許文献１参照）。特許文献１に記載の窓センサは、窓の開閉状態と施解錠状態とを検知し、検知結果を無線信号で親機に送信している。この種の窓センサは、取り付け箇所の制約や取り付けの利便性から電源として電池を用いている。
【先行技術文献】
【特許文献】
【０００３】
【特許文献１】特開２０１３−４４２１７号公報
【発明の概要】
【発明が解決しようとする課題】
【０００４】
電池は容量が決まっており、電池交換の手間および電池の交換費用を削減するために、窓センサの省電力化が望まれている。
【０００５】
本発明は、上記事由に鑑みてなされたものであり、その目的は、消費電力を低減することができる窓センサを提供することにある。
【課題を解決するための手段】
【０００６】
本発明の窓センサは、窓の施解錠状態を検知する施解錠検知部と、窓の開閉状態を検知する窓開閉検知部と、前記施解錠検知部および前記窓開閉検知部のそれぞれを動作または停止させる動作制御部とを備え、前記動作制御部は、前記施解錠検知部および前記窓開閉検知部の各検知結果の組み合わせに基づいて、前記施解錠検知部のみを動作させる第１のモードと、前記窓開閉検知部のみを動作させる第２のモードとのいずれかのモードを実行することを特徴とする。
【０００７】
この窓センサにおいて、前記動作制御部は、前記施解錠検知部の検知結果が施錠状態、かつ前記窓開閉検知部の検知結果が窓閉状態である場合、前記第１のモードを実行することが好ましい。
【０００８】
この窓センサにおいて、前記動作制御部は、前記施解錠検知部の検知結果が解錠状態、かつ前記窓開閉検知部の検知結果が窓開状態である場合、前記第２のモードを実行することが好ましい。
【０００９】
この窓センサにおいて、前記動作制御部は、前記施解錠検知部の検知結果が施錠状態、かつ前記窓開閉検知部の検知結果が窓開状態である場合、前記第１のモードを実行する
ことが好ましい。
【００１０】
この窓センサにおいて、前記動作制御部は、所定時間ごとに前記施解錠検知部および前記窓開閉検知部の両方を動作させる第３のモードを実行することが好ましい。
【発明の効果】
【００１１】
以上説明したように、本発明では、窓開閉検知部と施解錠検知部のいずれか一方のみを動作させるモードを有する。したがって、窓開閉検知部と施解錠検知部との両方を常に動作させる場合に比べて、消費電力を低減することができるという効果がある。
【図面の簡単な説明】
【００１２】
【図１】実施形態１の窓センサのブロック構成図である。
【図２】実施形態１の全体構成図である。
【図３】実施形態１の窓センサの概略構成図である。
【図４】実施形態１の状態遷移図である。
【図５】実施形態２の状態遷移図である。
【図６】実施形態３の状態遷移図である。
【発明を実施するための形態】
【００１３】
以下、本発明の実施の形態を図面に基づいて説明する。
【００１４】
（実施形態１）
本実施形態の窓センサ１は、施解錠検知部１３と窓開閉検知部１４と動作制御部１２３とを備える（図１参照）。施解錠検知部１３は、窓４の施解錠状態を検知する。窓開閉検知部１４は、窓４の開閉状態を検知する。動作制御部１２３は、施解錠検知部１３および窓開閉検知部１４のそれぞれを動作または停止させる。そして、動作制御部１２３は、施解錠検知部１３および窓開閉検知部１４の各検知結果の組み合わせに基づいて、第１のモードと第２のモードとのいずれかのモードを実行する。第１のモードは、施解錠検知部１３のみを動作させる。第２のモードは、窓開閉検知部１４のみを動作させる。
【００１５】
以下に、本実施形態の窓センサ１について詳細に説明する。
【００１６】
図２に示すように、窓センサ１は、クレセント錠３を備えた引違い式の窓４に取り付けられ、窓４の開閉状態およびクレセント錠３の施解錠状態を検知し、電波を伝送媒体に用いた無線信号で検知結果を親機２に送信する。親機２は、モニター２１を備えており、窓センサ１が検知した窓４の開閉状態および施解錠状態を表示してユーザに報知する。なお、１台の親機２に対して複数個の窓センサ１を対応付けることができる。窓センサ１が送信する無線信号には窓センサ１１の識別情報が付加されており、親機２は、窓センサ１が取り付けられた窓４毎の開閉状態、施解錠状態を表示することができる。また、図２に示すように、窓センサ１は、取り付けられている場所を名称（例えば、居間１、居間２、寝室１など）として親機２に設定されている。これにより、ユーザは、親機２のモニター２１に表示される窓４の開閉状態、施解錠状態が、どの場所の窓４を示しているかを容易に認識することができる。なお、親機２は、窓センサ１専用のものを用いてもよいし、HEMS（Home Energy Management System）のコントローラを用いてもよい。
【００１７】
クレセント錠３は、窓４の一方の窓枠４１に固定された錠本体３１と、他方の窓枠４１に固定されたクレセント受け３２とで構成されている。錠本体３１は、直方体形状の台座３３と、台座３３に対して回転自在に設けられた半月形状のクレセント部３４と、クレセント部３４の一端に連結された直方体形状の操作レバー３５とを備える。そして、操作レバー３５を持ってクレセント部３４を回転させることにより、操作レバー３５がクレセント部３４の上に位置するときは、クレセント部３４がクレセント受け３２と結合してクレセント錠３が施錠状態となる。一方、操作レバー３５がクレセント部３４の下に位置するときは、クレセント部３４とクレセント受け３２との結合が外れてクレセント錠３が解錠状態となる。なお、クレセント錠３が施錠状態であるときの操作レバー３５の位置を施錠位置、クレセント錠３が解錠状態であるときの操作レバー３５の位置を解錠位置という。
【００１８】
窓センサ１は、窓枠４１における錠本体３１の上方に取り付けられるセンサ本体１０と、操作レバー３５に取り付けられる第１の磁石１３１と、窓ガラス４２に取り付けられる第２の磁石１４１とを備える。図３に、窓センサ１の概略構成図を示す。センサ本体１０の内部には、電池１１と、施解錠検知部１３と、窓開閉検知部１４と、マイクロコントローラ１２（以降、マイコン１２と略称する）とが設けられている。
【００１９】
電池１１は、コイン型リチウム電池で構成されており、窓センサ１の電源として機能する。
【００２０】
施解錠検知部１３は、磁気抵抗素子（MR（Magneto Resistance）素子）、ホール素子等で構成されており、電池１１から給電されることによって、受けた磁界の強さに応じた電気信号を検知信号としてマイコン１２に出力する。第１の磁石１３１は、操作レバー３５に取り付けられており、クレセント錠３が施錠位置にあるときに施解錠検知部１３との距離が短くなり、クレセント錠３が解錠位置にあるときに施解錠検知部１３との距離が長くなる。
【００２１】
マイコン１２は、施解錠検知部１３が出力する検知信号に基づいて、クレセント錠３の施解錠状態を判断する施解錠判断部１２１を備えている。施解錠判断部１２１は、施解錠検知部１３が出力する検知信号と所定の閾値とを比較し、クレセント錠３の施解錠状態を判断する。クレセント錠３が施錠位置にある場合、第１の磁石１３１は施解錠検知部１３に近い位置にあるので検知信号が閾値を上回り、施解錠判断部１２１は、クレセント錠３が施錠状態であると判断する。一方、クレセント錠３が解錠位置にある場合、第１の磁石１３１は施解錠検知部１３から離れた位置にあるので検知信号が閾値を下回り、施解錠判断部１２１は、クレセント錠３が解錠状態であると判断する。また、施解錠検知部１３を図３における左右方向から挟み込むように一対の第１のヨーク１３２が設けられている。一対の第１のヨーク１３２によって、クレセント錠３が施錠位置にあるときに第１の磁石１３１から放出される磁束が施解錠検知部１３に効率よく伝えられ、クレセント錠３の施解錠状態の検知精度を向上させることができる。
【００２２】
窓開閉検知部１４は、磁気抵抗素子（MR（Magneto Resistance）素子）、ホール素子等で構成されており、電池１１から給電されることによって、受けた磁界の強さに応じた電気信号を検知信号としてマイコン１２に出力する。第２の磁石１４１は、窓ガラス４２に取り付けられており、窓４が閉位置にあるときに窓開閉検知部１４との距離が短くなり、窓４が開位置にあるときに窓開閉検知部１４との距離が長くなる位置に配置されている。
【００２３】
マイコン１２は、窓開閉検知部１４が出力する検知信号に基づいて、窓４の開閉状態を判断する開閉判断部１２２を備えている。開閉判断部１２２は、窓開閉検知部１４が出力する検知信号と所定の閾値とを比較し、窓４の開閉状態を判断する。窓４が閉位置にある場合、第２の磁石１４１は窓開閉検知部１４に近い位置にあるので検知信号が閾値を上回り、開閉判断部１２２は、窓４が閉状態であると判断する。一方、窓４が開位置にある場合、第２の磁石１４１は窓開閉検知部１４から離れた位置にあるので検知信号が閾値を下回り、開閉判断部１２２は、窓４が開状態であると判断する。また、窓開閉検知部１４を図３における上下方向から挟み込むように一対の第２のヨーク１４２が設けられている。一対の第２のヨーク１４２によって、窓４が閉位置にあるときに第２の磁石１４１から放出される磁束が窓開閉検知部１４に効率よく伝えられ、窓４の開閉状態の検知精度を向上させることができる。
【００２４】
次に、図１に示すブロック構成図を用いて、窓センサ１の具体的な構成について説明する。
【００２５】
窓センサ１は、上述した電池１１、施解錠検知部１３、窓開閉検知部１４、マイコン１２に加えて、送信部１５、第１のスイッチ１６、第２のスイッチ１７がセンサ本体１０に設けられている。
【００２６】
送信部１５は、無線信号を送信する通信インターフェースで構成されており、親機２に無線信号を送信する。マイコン１２は、窓４の開閉状態または施解錠状態が変化した際に、送信部１５を介して、窓４の開閉状態、施解錠状態を親機２に通知する。親機２は、窓センサ１から送信された無線信号を受信し、窓４の開閉状態、施解錠状態をモニター２１に表示する（図２参照）。
【００２７】
第１のスイッチ１６は、電池１１から施解錠検知部１３への電源供給経路に設けられており、電池１１から施解錠検知部１３への電源供給をオン・オフする。第２のスイッチ１７がオン状態である場合、電池１１から施解錠検知部１３に給電されることで施解錠検知部１３が起動（動作）し、検知信号が出力されクレセント錠３の施解錠状態が検知可能となる。一方、第２のスイッチ１７がオフ状態である場合、電池１１から施解錠検知部１３への給電が遮断されることで施解錠検知部１３が休止（停止）し、検知信号が出力されずクレセント錠３の施解錠状態が検知不可となる。
【００２８】
第２のスイッチ１７は、電池１１から窓開閉検知部１４への電源供給経路に設けられており、電池１１から窓開閉検知部１４への電源供給をオン・オフする。第２のスイッチ１７がオン状態である場合、電池１１から窓開閉検知部１４に給電されることで窓開閉検知部１４が起動（動作）し、検知信号が出力され窓４の開閉状態が検知可能となる。一方、第２のスイッチ１７がオフ状態である場合、電池１１から窓開閉検知部１４への給電が遮断されることで窓開閉検知部１４が休止（停止）し、検知信号が出力されず窓４の開閉状態が検知不可となる。
【００２９】
また、マイコン１２は、第１のスイッチ１６および第２のスイッチ１７それぞれをオン・オフすることで、施解錠検知部１３および窓開閉検知部１４を動作または停止させる動作制御部１２３を備える。動作制御部１２３は、第１のスイッチ１６、第２のスイッチ１７のオン・オフを制御することで、施解錠検知部１３および窓開閉検知部１４のそれぞれを動作または停止させる。動作制御部１２３が、第１のスイッチ１６をオン、第２のスイッチ１７をオフする第１のモードを実行した場合、施解錠検知部１３のみが動作し、窓開閉検知部１４は停止する。また、動作制御部１２３が、第１のスイッチ１６をオフし、第２のスイッチ１７をオンする第２のモードを実行した場合、窓開閉検知部１４のみが動作し、施解錠検知部１３は停止する。また、動作制御部１２３が、第１のスイッチ１６および第２のスイッチ１７の両方をオンする第３のモードを実行した場合、施解錠検知部１３および窓開閉検知部１４の両方がともに動作する。
【００３０】
また、動作制御部１２３は、施解錠検知部１３および窓開閉検知部１４の各検知結果の組み合わせに基づいて、第１〜第３のモードからモード選択する。施解錠検知部１３および窓開閉検知部１４の各検知結果の組み合わせとして、「施錠・窓閉」、「解錠・窓閉」、「解錠・窓開」、「施錠・窓開」の４パターンがあり、窓４の開閉状態、施解錠状態は、上記４パターンのいずれかに分類される。
【００３１】
ここで、窓４の開閉とクレセント錠３の施解錠とを同時に行うことは考えられず、いずれか一方の動作のみ行われる。例えば、窓４を「施錠・窓閉」状態から「解錠・窓開」状態に遷移させる場合、「施錠・窓閉」→「解錠・窓閉」→「解錠・窓開」の順に窓４の状態が遷移する。
【００３２】
また、通常の動作では、「施錠・窓閉」状態の窓４を解錠せずに開けることは考えられず、窓４は「施錠・窓閉」状態からは「解錠・窓閉」状態にのみ遷移する。そこで、本実施形態では、動作制御部１２３のモード選択によって、窓４が「施錠・窓閉」状態である場合、クレセント錠３の施解錠状態のみを検知するように構成する。図４に示す状態遷移図を用いて、動作制御部１２３のモード選択について説明する。
【００３３】
電源が投入されマイコン１２が起動されると、動作制御部１２３は、まず第３のモードを実行し、施解錠検知部１３と窓開閉検知部１４の両方を起動させる（Ｓ１）。そして、動作制御部１２３は、施解錠検知部１３および窓開閉検知部１４によって検知された窓４の状態に基づいてモードを選択する。動作制御部１２３は、窓４の状態が「施錠・窓閉」状態であると判断された場合、第３のモードから第１のモードに切り替える（Ｓ２）。また、動作制御部１２３は、窓４の状態が「解錠・窓閉」状態、「解錠・窓開」状態、「施錠・窓開」状態のいずれかであると判断された場合、第３のモードを継続する（Ｓ３）
窓４の状態が「施錠・窓閉」状態であると判断された場合、第１のモードが実行されることによって、施解錠検知部１３のみが動作し、窓開閉検知部１４が停止する（Ｓ２）。すなわち、窓センサ１は、窓４の状態が「施錠・窓閉」状態である場合、クレセント錠３の施解錠状態のみを検知する。そして、動作制御部１２３は、クレセント錠３が解錠されるまで第１のモードを継続する。このとき、窓４の開閉状態の検知動作が停止しているが、施錠状態で窓４が開けられることは考えられないので、窓４は「施錠・窓閉」状態であると判断される。そして、クレセント錠３が解錠されると、窓４が「解錠・窓閉」状態となり、動作制御部１２３は、第１のモードから第３のモードに切り替える（Ｓ３）。
【００３４】
第３のモードが実行されることによって、施解錠検知部１３と窓開閉検知部１４の両方が動作する（Ｓ３）。すなわち、窓センサ１は、窓４の状態が「施錠・窓閉」以外の状態であると判断された場合、窓４の開閉状態、施解錠状態の両方を検知する。そして、動作制御部１２３は、窓４の状態が「施錠・窓閉」状態となるまで第３のモードを継続する。窓４の状態が「施錠・窓閉」状態であると判断されると、動作制御部１２３は、第３のモードから第１のモードに切り替える（Ｓ２）。
【００３５】
このように、本実施形態では、窓４の状態が「施錠・窓閉」状態である場合、施解錠検知部１３のみが動作し窓開閉検知部１４が停止する。したがって、施解錠検知部１３と窓開閉検知部１４との両方を動作させる場合に比べて消費電力を低減させることができる。また、一般的に窓４は「施錠・窓閉」状態の時間が比較的長く、この「施錠・窓閉」状態において窓開閉検知部１４を休止させることによる消費電力の低減効果は大きなものとなる。さらに、本実施形態では、施解錠検知部１３および窓開閉検知部１４のセンシング間隔を長く設定することなく消費電力を低減することができ、施解錠検知部１３および窓開閉検知部１４の検知応答性、信頼性が低減することを防止することができる。
【００３６】
（実施形態２）
本実施形態の窓センサ１は、実施形態１の窓センサ１と動作制御部１２３のモード選択のみが異なり、実施形態１の窓センサ１と同一構成には、同一符号を付して説明を省略する。
【００３７】
一般的に、窓４の状態が「施錠・窓開」状態である場合、クレセント錠３が施錠位置のままでは窓４を閉めることができず、窓４を閉めるためにはクレセント錠３を一旦解錠する必要がある。したがって、窓４の状態が「解錠・窓開」状態から「施錠・窓開」状態に遷移する必要性が低く、「施錠・窓閉」状態にのみ遷移すると考えられる。そこで、本実施形態では、動作制御部１２３のモード選択によって、窓４の状態が「解錠・窓開」状態である場合、窓４の開閉状態のみを検知するように構成する。図５に示す状態遷移図を用いて、本実施形態の動作制御部１２３のモード選択について説明する。
【００３８】
電源が投入されマイコン１２が起動されると、動作制御部１２３は、まず第３のモードを実行し、施解錠検知部１３と窓開閉検知部１４の両方を起動させる（Ｓ１１）。そして、動作制御部１２３は、施解錠検知部１３および窓開閉検知部１４によって検知された窓４の状態に基づいて、モードを選択する。動作制御部１２３は、窓４の状態が「施錠・窓閉」状態であると判断された場合、第３のモードから第１のモードに切り替える（Ｓ１２）。また、動作制御部１２３は、窓４の状態が「解錠・窓開」状態であると判断された場合、第３のモードから第２のモードに切り替える（Ｓ１３）。また、動作制御部１２３は、窓４の状態が「解錠・窓閉」状態、「施錠・窓開」状態のいずれかであると判断された場合、第３のモードを継続する（Ｓ１４）。
【００３９】
窓４の状態が「施錠・窓閉」状態であると判断された場合、第１のモードが実行されることによって、施解錠検知部１３のみが動作し、窓開閉検知部１４が停止する（Ｓ１２）。すなわち、窓センサ１は、窓４の状態が「施錠・窓閉」状態である場合、クレセント錠３の施解錠状態のみを検知する。そして、動作制御部１２３は、クレセント錠３が解錠されるまで第１のモードを継続する。このとき、窓４の開閉状態の検知動作が停止しているが、施錠状態で窓４が開けられることは考えられないので、窓４は「施錠・窓閉」状態であると判断される。そして、クレセント錠３が解錠されると、窓４が「解錠・窓閉」状態となり、動作制御部１２３は、第１のモードから第３のモードに切り替える（Ｓ１４）。
【００４０】
また、窓４の状態が「解錠・窓開」状態であると判断された場合、第２のモードが実行されることによって、窓開閉検知部１４のみが動作し、施解錠検知部１３が停止する（Ｓ１３）。すなわち、窓センサ１は、窓４の状態が「解錠・窓開」状態であると判断された場合、窓４の開閉状態のみを検知する。そして、動作制御部１２３は、窓４が閉じられるまで第２のモードを継続する。このとき、施解錠状態の検知動作が停止しているが、上述したように窓開状態において施解錠状態を検知することの必要性が低い。さらに、窓４を閉じるためには必ず解錠する必要があるので、窓４が閉じられた場合、窓４は「解錠・窓閉」状態であると判断することができる。そして、窓４が閉じられると、動作制御部１２３は、第２のモードから第３のモードに切り替える（Ｓ１４）。
【００４１】
また、窓４の状態が「解錠・窓閉」状態、「施錠・窓開」状態のいずれかであると判断された場合、第３のモードが実行されることによって、施解錠検知部１３と窓開閉検知部１４の両方が動作する（Ｓ１４）。すなわち、窓センサ１は、窓４の状態が「解錠・窓閉」状態、「施錠・窓開」状態のいずれかである場合、窓４の開閉状態、施解錠状態の両方を検知する。そして、動作制御部１２３は、窓４の状態が「施錠・窓閉」状態になると、第３のモードから第１のモードに切り替える（Ｓ１２）。また、動作制御部１２３は、窓４の状態が「解錠・窓閉」状態になると、第３のモードから第２のモードに切り替える（Ｓ１３）。
【００４２】
このように、本実施形態では、実施形態１の動作に加えて、窓４の状態が「解錠・窓開」状態である場合、窓開閉検知部１４のみが動作し施解錠検知部１３が停止する。したがって、施解錠検知部１３と窓開閉検知部１４との両方を動作させる場合に比べて消費電力をより低減させることができる。
【００４３】
（実施形態３）
本実施形態の窓センサ１は、実施形態１の窓センサ１と動作制御部１２３のモード選択のみが異なり、実施形態１の窓センサ１と同一構成には、同一符号を付して説明を省略する。
【００４４】
一般的に、窓４の状態が「施錠・窓開」状態である場合、クレセント錠３が施錠位置のままでは窓４を閉めることができず、窓４を閉めるためにはクレセント錠３を一旦解錠する必要がある。したがって、窓４の状態が「施錠・窓開」状態からは「解錠・窓開」状態にのみ遷移する。そこで、本実施形態では、動作制御部１２３のモード選択によって、窓４の状態が「施錠・窓開」状態である場合、クレセント錠３の施解錠状態のみを検知するように構成する。図６に示す状態遷移図を用いて、動作制御部１２３のモード選択について説明する。
【００４５】
電源が投入されマイコン１２が起動されると、動作制御部１２３は、まず第３のモードを実行し、施解錠検知部１３と窓開閉検知部１４の両方を起動させる（Ｓ２１）。そして、動作制御部１２３は、施解錠検知部１３および窓開閉検知部１４によって検知された窓４の状態に基づいて、モードを選択する。動作制御部１２３は、窓４の状態が「施錠・窓閉」状態であると判断された場合、第３のモードから第１のモードに切り替える（Ｓ２２）。また、動作制御部１２３は、窓４の状態が「施錠・窓開」状態であると判断された場合、第３のモードから第１のモードに切り替える（Ｓ２３）。また、動作制御部１２３は、窓４の状態が「解錠・窓閉」状態、「解錠・窓開」状態のいずれかであると判断された場合、第３のモードを継続する（Ｓ２４）。
【００４６】
窓４の状態が「施錠・窓閉」状態であると判断された場合、第１のモードが実行されることによって、施解錠検知部１３のみが動作し、窓開閉検知部１４が停止する（Ｓ２２）。すなわち、窓センサ１は、窓４の状態が「施錠・窓閉」状態である場合、クレセント錠３の施解錠状態のみを検知する。そして、動作制御部１２３は、クレセント錠３が解錠されるまで第１のモードを継続する。このとき、窓４の開閉状態の検知動作が停止しているが、施錠された状態で窓４が開けられることは考えられないので、窓４は「施錠・窓閉」状態であると判断される。そして、クレセント錠３が解錠されると、窓４が「解錠・窓閉」状態となり、動作制御部１２３は、第１のモードから第３のモードに切り替える（Ｓ２４）。
【００４７】
また、窓４の状態が「施錠・窓開」状態であると判断された場合、第１のモードが実行されることによって、施解錠検知部１３のみが動作し、窓開閉検知部１４が停止する（Ｓ２３）。すなわち、窓センサ１は、窓４の状態が「施錠・窓開」状態である場合、クレセント錠３の施解錠状態のみを検知する。そして、動作制御部１２３は、クレセント錠３が解錠されるまで第１のモードを継続する。このとき、窓４の開閉状態の検知動作が停止しているが、施錠状態で窓４が閉じられることは考えられないので、窓４は「施錠・窓開」状態であると判断される。そして、クレセント錠３が解錠されると、窓４が「解錠・窓開」状態となり、動作制御部１２３は、第１のモードから第３のモードに切り替える（Ｓ２４）。
【００４８】
また、窓４の状態が「解錠・窓閉」状態、「解錠・窓開」状態のいずれかであると判断された場合、第３のモードが実行されることによって、施解錠検知部１３と窓開閉検知部１４の両方が動作する（Ｓ２４）。すなわち、窓センサ１は、窓４の状態が「解錠・窓閉」状態、「解錠・窓開」状態のいずれかである場合、窓４の開閉状態、施解錠状態の両方を検知する。そして、動作制御部１２３は、窓４の状態が「施錠・窓閉」状態または「施錠・窓開」状態になると、第３のモードから第１のモードに切り替える（Ｓ２２、Ｓ２３）。
【００４９】
このように、本実施形態では、実施形態１の動作に加えて、窓４が「施錠・窓開」状態である場合，施解錠検知部１３のみが動作し窓開閉検知部１４が停止する。したがって、施解錠検知部１３と窓開閉検知部１４との両方を動作させる場合に比べて消費電力をより低減させることができる。
【００５０】
ここで、上述したように、窓４の状態が「施錠・窓閉」状態または「施錠・窓開」状態である場合、窓開閉検知部１４が停止する。そのため、特殊な要因によって、窓４が「施錠・窓閉」状態から「施錠・窓開」状態、または「施錠・窓開」状態から「施錠・窓閉」状態に遷移した場合、窓開閉検知部１４が停止しているので窓４の開閉状態を検知することができない。例えば、施錠された状態で窓４がこじ開けられた場合、「施錠・窓閉」状態から「施錠・窓開」状態に遷移したことを検知することができず、セキュリティを確保できなくなる。
【００５１】
そこで、動作制御部１２３は、第１のモードを実行中であっても、所定時間ごとに第３のモードを実行するように構成する。これにより、第１のモードの実行中に窓４が開閉されたとしても、所定時間ごとに第３のモードが実行され、施解錠検知部１３と窓開閉検知部１４の両方が動作するので、窓４の開閉状態、施解錠状態を正確に検知することができセキュリティを確保できる。
【符号の説明】
【００５２】
１  窓センサ
１１  電池
１２  マイコン
１２３  動作制御部
１３  施解錠検知部
１４  窓開閉検知部
【図１】
2015148998.tif 000003
【図２】
2015148998.tif 000004
【図３】
2015148998.tif 000005
【図４】
2015148998.tif 000006
【図５】
2015148998.tif 000007
【図６】
2015148998.tif 000008